(57)【要約】【課題】予め定めた各利用者に対して、次回利用時の割当て制御の優先度を決定して記憶することができ、エレベータの乗りかごの群管理制御が予め定めた各利用者の優先度に応じて行うことができるエレベータ群管理ポイント制優先割当装置を提供する。【解決手段】エレベータの乗りかご１１，１２，１３を群管理制御する際に、乗りかご１１，１２，１３に乗車する予め定められた利用者を識別し、識別された予め定められた利用者が、エレベータの乗り場で乗りかご１１，１２，１３の呼び登録をしてから乗りかごが到着するまでの待ち時間をポイントとして記憶する利用者識別およびポイント記憶手段２ａ，２ｂ，２ｃを備える。【選択図】図１
2009196788.tif 000002
【特許請求の範囲】
【請求項１】
エレベータの乗りかごを群管理制御する際に、前記乗りかごに乗車する予め定められた利用者を識別し、前記識別された前記予め定められた利用者が前記エレベータの乗り場で前記乗りかごの呼び登録をしてから前記乗りかごが到着するまでの待ち時間をポイントとして記憶する利用者識別およびポイント記憶手段を備えることを特徴とするエレベータ群管理ポイント制優先割当装置。
【請求項２】
前記識別された前記予め定められた利用者が識別操作を行うための端末と、
前記識別された前記予め定められた利用者が前記端末により識別操作をしてから、前記識別された前記予め定められた利用者が前記乗り場での前記乗りかごの呼び登録をするための呼び登録手段と、
前記呼び登録手段による呼び登録後に、前記識別された前記予め定められた利用者の有する前記ポイントに応じて、群管理割当て制御の優先度を変化させて、前記ポイントの高い前記識別された前記予め定められた利用者が前回利用時に待ち時間の長かった場合には、前記識別された前記予め定められた利用者の前記優先度を上げて前記待ち時間を短縮するように制御する群管理制御手段と、
を有することを特徴とする請求項１に記載のエレベータ群管理ポイント制優先割当装置。
【請求項３】
前記識別された前記予め定められた利用者が、前記端末を操作した際には、前記ポイントを一定時間表示する表示手段を有することを特徴とする請求項２に記載のエレベータ群管理ポイント制優先割当装置。
【請求項４】
前記表示手段は、前記端末の周囲に配置されていることを特徴とする請求項３に記載のエレベータ群管理ポイント制優先割当装置。
【発明の詳細な説明】
【技術分野】
【０００１】
本発明は、エレベータ群管理ポイント制優先割当装置に関し、特に利用者が乗り場で呼び登録をした時から乗りかごが到着する時までの待ち時間が長くかかった場合、いわゆる利用者が長待ちを行った場合に、その利用者に対して次回利用時には優先的に待ち時間が短くなるようにエレベータ群管理の割り当て制御を行うエレベータ群管理ポイント制優先割当装置に関する。
【背景技術】
【０００２】
一般的に、エレベータ群管理制御装置は、複数台のエレベータの乗りかごを群管理するようになっている。このエレベータ群管理制御装置は、複数台のエレベータの乗りかごを制御する際に、利用者が乗り場呼び登録釦を押すことで入力される乗り場呼び信号を登録して、その乗り場呼び信号に応じていずれかのエレベータの乗りかごを移動させる。
【０００３】
エレベータ群管理制御装置では、どの利用者に対しても乗り場での待ち時間、すなわち乗り場呼び登録釦を押して呼び登録をした時から乗りかごが到着する時までの待ち時間が、なるべく均等になるように、またなるべく待ち時間が短くなるようにして、利用者を長時間待たせないように制御している。
【０００４】
このような関連技術は、特許文献１に開示されている。特許文献１では、乗り場呼びに対する長待ち状態が発生した時点で、乗客が不在の空号機を検出して、この空号機が長待ちとなった乗り場呼びに既に割当てられている号機よりも先に到着可能と判断された場合には、長待ちとなっている乗り場呼びに対する割当て号機をこの空号機に変更する。
【特許文献１】特開２００６―１２４０７５号公報
【発明の開示】
【発明が解決しようとする課題】
【０００５】
しかしながら、特許文献１に開示された従来のエレベータの群管理制御装置では、一時的なエレベータ利用者数の増加や混雑等が発生した場合には、どの利用者にも待ち時間が均等に、かつなるべく短くなるような制御を行うことは困難となる。従って、ある利用者には長時間待たせてしまう状態も発生する。このように長時間待たせてしまった利用者に対して、発生したサービスの低下を補償する手だてがなかったという問題がある。
【０００６】
本発明は上記課題を解決するためになされたものであり、本発明の目的は、予め定めた各利用者に対して、次回利用時の割当て制御の優先度を決定して記憶することができ、エレベータの乗りかごの群管理制御が予め定めた各利用者の優先度に応じて行うことができるエレベータ群管理ポイント制優先割当装置を提供することができる。
【課題を解決するための手段】
【０００７】
本発明のエレベータ群管理ポイント制優先割当装置の第１の態様は、エレベータの乗りかごを群管理制御する際に、前記乗りかごに乗車する予め定められた利用者を識別し、前記識別された前記予め定められた利用者が前記エレベータの乗り場で前記乗りかごの呼び登録をしてから前記乗りかごが到着するまでの待ち時間をポイントとして記憶する利用者識別およびポイント記憶手段を備えることを特徴とする。
【０００８】
本発明のエレベータ群管理ポイント制優先割当装置の第２の態様は、前記識別された前記予め定められた利用者が識別操作を行うための端末と、
前記識別された前記予め定められた利用者が前記端末により識別操作をしてから、前記識別された前記予め定められた利用者が前記乗り場での前記乗りかごの呼び登録をするための呼び登録手段と、
前記呼び登録手段による呼び登録後に、前記識別された前記予め定められた利用者の有する前記ポイントに応じて、群管理割当て制御の優先度を変化させて、前記ポイントの高い前記識別された前記予め定められた利用者が前回利用時に待ち時間の長かった場合には、前記識別された前記予め定められた利用者の前記優先度を上げて前記待ち時間を短縮するように制御する群管理制御手段と、
を有することを特徴とする。
【０００９】
本発明のエレベータ群管理ポイント制優先割当装置の第３の態様は、前記識別された前記予め定められた利用者が、前記端末を操作した際には、前記ポイントを一定時間表示する表示手段を有することを特徴とする。
【００１０】
本発明のエレベータ群管理ポイント制優先割当装置の第４の態様は、前記表示手段は、前記端末の周囲に配置されていることを特徴とする。
【発明の効果】
【００１１】
本発明によれば、予め定めた各利用者に対して、次回利用時の割当て制御の優先度を決定して記憶することができ、エレベータの乗りかごの群管理制御が予め定めた各利用者の優先度に応じて行うことができるエレベータ群管理ポイント制優先割当装置を提供することができる。
【発明を実施するための最良の形態】
【００１２】
以下、本発明の実施の形態について図面を参照して詳細に説明する。
【００１３】
図１は、本発明のエレベータ群管理ポイント制優先割当装置を示す構成図である。
【００１４】
図１に示すエレベータ群管理ポイント制優先割当装置１０は、例えば説明を簡単化するために、３基のエレベータの乗りかご１１，１２，１３を例に上げて、エレベータの乗りかごを利用する予め定めた利用者に対して、これらの乗りかご１１，１２，１３をポイント制優先割当てするために群管理制御する例を示している。
【００１５】
本発明の実施形態では、エレベータの乗りかごを利用する予め定めた利用者とは、例えばマンション等の集合住宅の住人やビルのテナント等を使用する人等の対象者である。これに対して、一般の利用者は、本発明の実施形態におけるポイント制優先呼び割当ての適用外の者であり、一般の利用者と、エレベータを利用する予め定めた利用者と、は区別している。一般の利用者としては、ポイント制優先割当て処理の対象ではない例えば単に集合住宅やビル等への来客者である。
【００１６】
図１に示すように、エレベータ群管理ポイント制優先割当装置１０は、群管理制御装置１と、利用者識別およびポイント記憶手段２ａ，２ｂ，２ｃと、乗り場呼び登録釦３ａ，３ｂ，３ｃ，３ｄ，３ｅ，３ｆと、端末４ａ，４ｂ，４ｃ，４ｄ，４ｅ，４ｆと、ポイント表示手段５ａ，５ｂ，５ｃ，５ｄ，５ｅ，５ｆと、を有している。
【００１７】
群管理制御装置１は、乗りかご１１，１２，１３を群制御する装置であり、群管理制御装置１は、３つの利用者識別およびポイント記憶手段２ａ，２ｂ，２ｃに接続されている。各利用者識別およびポイント記憶手段２ａ，２ｂ，２ｃは、各エレベータの乗りかご１１，１２，１３に対応して配置されている。各利用者識別およびポイント記憶手段２ａ，２ｂ，２ｃは、乗りかごに乗車する予め定められた利用者を識別し、予め定められた利用者がエレベータの乗り場で乗りかごの呼び登録をしてから乗りかごが到着するまでの待ち時間をポイント（点数）として、予め定められた利用者の全員分を記憶することができる。これにより、上記エレベータを利用する予め定めた利用者の全員分のポイント（点数）が予め記憶されている。
【００１８】
図１に示すように、乗り場呼び登録釦３ａ，３ｂ，３ｃは、群管理制御装置１に接続されており、ある階床３０の乗り場３１，３２，３３の壁部４１，４２，４３にそれぞれ配置されている。乗り場呼び登録釦３ｄ，３ｅ，３ｆは、群管理制御装置１に接続されており、ある階床３０よりも上の階床５０の乗り場５１，５２，５３の壁部６１，６２，６３にそれぞれ配置されている。
【００１９】
図１に示す端末４ａ，４ｂ，４ｃは、群管理制御装置１に接続され利用者識別およびポイント記憶手段２ａ，２ｂ，２ｃの中の利用者識別手段２ｐに利用者識別信号を送ることができる。端末４ａ，４ｂ，４ｃは、ある階床３０の乗り場３１，３２，３３の壁部４１，４２，４３にそれぞれ配置されている。端末４ｄ，４ｅ，４ｆは、群管理制御装置１に接続され利用者識別およびポイント記憶手段２ａ，２ｂ，２ｃの中の利用者識別手段２ｐに利用者識別信号を送ることができる。端末４ｄ，４ｅ，４ｆは、ある階床３０よりも上の階床５０の乗り場５１，５２，５３の壁部６１，６２，６３にそれぞれ配置されている。
【００２０】
同様にして、ポイント表示手段５ａ，５ｂ，５ｃは、群管理制御装置１に接続されており、ある階床３０の乗り場３１，３２，３３の壁部４１，４２，４３にそれぞれ配置されている。ポイント表示手段５ｄ，５ｅ，５ｆは、群管理制御装置１に接続されており、ある階床３０よりも上の階床５０の乗り場５１，５２，５３の壁部６１，６２，６３にそれぞれ配置されている。
【００２１】
このように、乗り場呼び登録釦３ａと利用者識別手段の端末４ａとポイント表示手段５ａが、ある階床３０の乗り場３１の壁部４１に集中して配置され、乗り場呼び登録釦３ｂと利用者識別手段の端末４ｂとポイント表示手段５ｂが、ある階床３０の乗り場３２の壁部４２に集中して配置され、そして乗り場呼び登録釦３ｃと利用者識別手段の端末４ｃとポイント表示手段５ｃが、ある階床３０の乗り場３３の壁部４３に集中して配置されている。
【００２２】
同様にして、乗り場呼び登録釦３ｄと利用者識別手段の端末４ｄとポイント表示手段５ｄが、上の階床５０の乗り場５１の壁部６１に集中して配置され、乗り場呼び登録釦３ｅと利用者識別手段の端末４ｅとポイント表示手段５ｅが、上の階床５０の乗り場５２の壁部６２に集中して配置され、そして乗り場呼び登録釦３ｆと利用者識別手段の端末４ｆとポイント表示手段５ｆが、上の階床５０の乗り場５３の壁部６３に集中して配置されている。これにより、エレベータを利用する予め定めた利用者は、ある階床３０の乗り場３１，３２，３３と上の階床５０の乗り場５１，５２，５３において乗り場呼び登録釦を押しやすくし、利用者識別手段の端末での利用者識別動作を容易に行え、そしてポイント表示手段によりポイント数を目視で確認し易くしている。
【００２３】
図１に示すように、乗り場呼び登録釦３ａ，３ｂ，３ｃ，３ｄ，３ｅ，３ｆは、それぞれ乗りかごを上方向に呼ぶための上釦Ｂ１と、乗りかごを下方向に呼ぶための下釦Ｂ２を有している。
【００２４】
図１に示す利用者識別手段の端末４ａ，４ｂ，４ｃ，４ｄ，４ｅ，４ｆは、例えば磁気カードリーダ（磁気式カード読み取り装置）、光学式カードリーダ（光学式カード読み取り装置）、あるいはテンキーや、光学読み取り式の指紋認証装置等を採用できる。
【００２５】
ポイント表示手段５ａ，５ｂ，５ｃ，５ｄ，５ｅ，５ｆは、例えば液晶表示装置、有機エレクトロルミネッセンス装置、蛍光表示管、プラズマディスプレイ装置等を用いることができるが、特に限定されない。
【００２６】
対象者であるエレベータを利用する予め定めた利用者が、エレベータの乗りかご１１，１２，１３を利用する際に、乗り場３１，３２，３３と乗り場５１，５２，５３に設置されている利用者識別手段の端末４ａ，４ｂ，４ｃ，４ｄ，４ｅ，４ｆのいずれかを操作して認証行為を行うと、利用者識別およびポイント記憶手段２ａ，２ｂ，２ｃは、当該予め定めた利用者のポイントを、群管理制御装置１に対して伝達するようになっている。
【００２７】
予め定めた利用者のポイントが群管理制御装置１に対して伝達された後に、一定時間内に、この予め定めた利用者が利用者識別手段の端末４ａ，４ｂ，４ｃ，４ｄ，４ｅ，４ｆの内の操作した階床の乗り場呼び登録釦３ａ，３ｂ，３ｃ，３ｄ，３ｅ，３ｆのいずれかを押して乗りかごの呼び登録をすると、群管理制御装置１は、その呼び登録に対する割当て制御をする際に、群管理制御装置１に対して既に伝達されたポイント数に応じて、その呼び登録に対する応答時間を短くするように割当て制御を行う。群管理制御装置１は、この割当て制御と同時に、その呼び登録の応答時間を計測する。
【００２８】
また、呼び登録した階床のポイント表示手段５ａ，５ｂ，５ｃ，５ｄ，５ｅ，５ｆは、ポイント表示を行うことができる。
【００２９】
例えば、予め定めた利用者が、エレベータの乗りかご１１を利用しようとする場合に、予め定めた利用者は端末４ａを操作して認証行為を行うと、利用者識別およびポイント記憶手段２ａは予め定めた利用者のポイントを、群管理制御装置１に対して伝達する。そして、予め定めた利用者のポイントが群管理制御装置１に対して伝達された後に、一定時間内に、例えば５秒以内に、この予め定めた利用者が端末４ａに対応する乗り場呼び登録釦３ａの上釦Ｂ１を押して乗りかごの呼び登録をすると、群管理制御装置１は、その呼び登録に対する割当て制御をする際に、群管理制御装置１に対して既に伝達されたポイント数に応じて、その呼び登録に対する応答時間を短くするように割当て制御を行う。
【００３０】
この呼び登録に応じて、乗りかごが到着すると、群管理制御装置１は計測した呼び登録の応答時間と、その呼び登録に対する待ち時間を、利用者識別およびポイント記憶手段２ａ，２ｂ，２ｃに伝達し、群管理制御装置１は今回乗りかごを利用した時の待ち時間から平均待ち時間を差し引いた値を、すなわち平均待ち時間から超過した待ち時間分のポイント分を、その利用者のポイントに加算して記憶する。この加算したポイントは、当該予め定めた利用者が、次回にエレベータの乗りかごを利用する際に使用されるポイントとなる。これにより、予め定めた利用者が、次回にエレベータの乗りかごを利用する際にはより短い待ち時間で乗りかごに乗ることができる。
【００３１】
なお、本発明の実施形態におけるポイント制優先呼び割当ての適用外の利用者、例えばマンション等の集合住宅やビル等に来た客人は、エレベータの乗りかごを利用する時に、乗り場呼び登録釦３ａ，３ｂ，３ｃ，３ｄ，３ｅ，３ｆのいずれかを押すだけであり、仮に利用者識別手段の端末４ａ，４ｂ，４ｃ，４ｄ，４ｅ，４ｆを操作しても識別行為をすることはできない。このため、ポイント制優先呼び割当ての適用外の利用者が、乗り場呼び登録釦を押した場合に、群管理制御装置１は各乗りかごに対して通常の割当て制御により呼び登録の応答をさせるだけである。これにより、エレベータの乗りかごを利用するポイント制優先呼び割当ての適用対象の予め定めた利用者と、ポイント制優先呼び割当ての適用外の一般の利用者とは明確に区別することができる。
【００３２】
図２は、本発明のエレベータ群管理ポイント制優先割当装置１０による群管理ポイント制優先呼び割当て動作を示すフロー図である。
【００３３】
図２に示すように、群管理ポイント制優先呼び割当て動作はステップＳ１からステップＳ１１を有している。
【００３４】
ステップＳ１では、乗り場で、利用者が、利用者識別手段の端末４ａ，４ｂ，４ｃ，４ｄ，４ｅ，４ｆのいずれかを押して識別操作したかどうかを判定する。利用者が利用者識別手段の端末４ａ，４ｂ，４ｃ，４ｄ，４ｅ，４ｆのいずれかを押した場合の処理は、この利用者は適用対象の予め定めた利用者であるので、ステップＳ２に移る。
【００３５】
また、利用者が利用者識別手段の端末４ａ，４ｂ，４ｃ，４ｄ，４ｅ，４ｆのいずれも押さなかった場合の処理では、この利用者は一般の利用者であるのでステップＳ１０に移る。
【００３６】
ステップＳ１０では、一般の利用者が乗り場呼び登録釦３ａ，３ｂ，３ｃ，３ｄ，３ｅ，３ｆのいずれかを押して乗り場呼び登録をしたかどうかを判定する。ステップＳ１０において、利用者が乗り場呼び登録釦３ａ，３ｂ，３ｃ，３ｄ，３ｅ，３ｆのいずれかを押して乗り場呼び登録をしている場合には、ポイント制優先割当て処理の対象ではない一般利用者による呼び動作であると判断して、通常の割当て制御によりエレベータの乗りかごの呼び動作を処理して終了する。
【００３７】
これに対して、ステップＳ２では、予め定めた利用者が利用者識別手段の端末４ａ，４ｂ，４ｃ，４ｄ，４ｅ，４ｆのいずれかを操作して識別処理をした場合には、利用者は一般利用者ではなくポイント制優先割当て処理の対象となる予め定めた利用者であると判断して、その後一定時間内にこの予め定めた利用者が乗り場呼び登録釦３ａ，３ｂ，３ｃ，３ｄ，３ｅ，３ｆのいずれかを押して乗り場呼び登録をしたかどうかを判定する。
【００３８】
ステップＳ２において、その後一定時間内にこの予め定めた利用者が乗り場呼び登録釦３ａ，３ｂ，３ｃ，３ｄ，３ｅ，３ｆのいずれかを押して乗り場呼び登録をしていない場合には、この予め定めた利用者がエレベータの利用を中止したものと判断して、処理をステップＳ１に戻す。
【００３９】
そうでなく、ステップＳ２において、その後一定時間内にこの予め定めた利用者が乗り場呼び登録釦３ａ，３ｂ，３ｃ，３ｄ，３ｅ，３ｆのいずれかを押して乗り場呼び登録をした場合には、ステップＳ３に移り、まずステップＳ２で登録した予め定めた利用者による呼び登録に対する待ち時間Ｔをカウントするタイマーを動作させて、呼び登録を始めた時刻から時間のカウント動作を開始する。
【００４０】
次に、ステップＳ４に移り、ステップＳ１において利用者識別手段の端末４ａ，４ｂ，４ｃ，４ｄ，４ｅ，４ｆのいずれかを押した予め定めた利用者を、利用者識別およびポイント記憶手段２ａ，２ｂ，２ｃにより識別をして、その識別された予め定めた利用者のポイントを群管理制御装置１に送信して、その予め定めた利用者のポイントの高さに応じてこの識別された予め定めた利用者のエレベータ使用の優先度を決定する。そして、ステップＳ５では、この識別された予め定めた利用者が呼び登録した階床のポイント表示手段５ａ，５ｂ，５ｃ，５ｄ，５ｅ，５ｆのいずれかが、この予め定めた利用者のポイントを表示する。ただし、このステップＳ４とステップＳ５の順序が逆になっても構わない。
【００４１】
ステップＳ６では、群管理制御装置４は、識別された予め定めた利用者の優先度が高いほどその待ち時間が短くなるように割当て制御を行う。
【００４２】
ステップＳ７では、識別された予め定めた利用者の呼び登録に応答して、該当する階床に乗りかごが到着したかどうかを判定して、乗りかごが該当する階床に到着していなければ、ステップＳ６に戻り、乗りかごが該当する階床に到着していれば、ステップＳ８に移る。
【００４３】
ステップＳ８では、ステップＳ３でタイマーがカウントを開始した待ち時間のカウントを終了して、ステップＳ９では、群管理制御装置１はステップＳ３のタイマーのカウント値から平均待ち時間相当のポイントを減じた値を、今回の識別された予め定めた利用者のポイントに加算して記憶する。このポイントは、その識別された予め定めた利用者が次回エレベータを利用する際に、使用できるポイントとして加算される。そして、処理が終了する。
【００４４】
これにより、エレベータの群管理制御されている状態で、利用者が乗り場で呼び登録をした時から乗りかごが到着する時までの待ち時間が長くかかった場合、いわゆる長待ちの場合に、その利用者に対して次回利用時には優先的に待ち時間を短くできるように優先的に割当て制御できるので、利用者に対してより公平なサービスを行うことができる。
【００４５】
本発明の実施形態では、エレベータの乗りかご１１，１２，１３を群管理制御する際に、乗りかご１１，１２，１３に乗車する予め定められた利用者を識別し、識別された予め定められた利用者が、エレベータの乗り場で乗りかご１１，１２，１３の呼び登録をしてから乗りかごが到着するまでの待ち時間をポイントとして記憶する利用者識別およびポイント記憶手段２ａ，２ｂ，２ｃを備える。これにより、予め定めた各利用者に対して、次回利用時の割当て制御の優先度を決定して記憶することができ、エレベータの乗りかごの群管理制御が予め定めた各利用者の優先度に応じて行うことができる。
【００４６】
本発明の実施形態では、識別された予め定められた利用者が識別操作を行うための端末４ａ，４ｂ，４ｃ，４ｄ，４ｅ，４ｆと、識別された予め定められた利用者が端末により識別操作をしてから、識別された予め定められた利用者が乗り場での乗りかごの呼び登録をするための呼び登録手段３ａ，３ｂ，３ｃ，３ｄ，３ｅ，３ｆと、呼び登録手段による呼び登録後に、識別された予め定められた利用者の有するポイントに応じて、群管理割当て制御の優先度を変化させて、ポイントの高い識別された予め定められた利用者が前回利用時に待ち時間の長かった場合には、識別された予め定められた利用者の優先度を上げて待ち時間を短縮するように制御する群管理制御手段１と、を有している。
【００４７】
これにより、予め定めた各利用者に対して、次回利用時の割当て制御の優先度を変化させて、サービスの均衡化ができる。すなわち、一時的にある使用者に長時間待たせてしまいサービス低下を招くことが起こっても、その利用者が次回以降にエレベータを利用する際には優先的に待ち時間が短くなるように制御してどの利用者に対しても均等なサービスを行うことができる。
【００４８】
本発明の実施形態では、識別された予め定められた利用者が、端末を操作した際には、ポイントを一定時間表示する表示手段５ａ，５ｂ，５ｃ，５ｄ，５ｅ，５ｆを有する。これにより、予め定めた各利用者が、エレベータ利用時にその利用者のポイントを目視で確認することができる。
【００４９】
本発明の実施形態では、表示手段５ａ，５ｂ，５ｃ，５ｄ，５ｅ，５ｆは、端末４ａ，４ｂ，４ｃ，４ｄ，４ｅ，４ｆの周囲に配置されている。これにより、予め定めた各利用者が、エレベータ利用時に端末の周囲においてその利用者のポイントを簡単に目視で確認することができる。
【００５０】
なお、この発明は、上記実施の形態そのままに限定されるものではなく、実施段階ではその要旨を逸脱しない範囲で構成要素を変形して具体化できる。
【００５１】
図１に示すエレベータ群管理装置１０は、例えば図示と説明を簡単化するために、３基のエレベータ１１，１２，１３を群管理制御する例である。しかし、エレベータ群管理装置は、これに限らず４基以上のエレベータを群管理するようにしても勿論良い。
【００５２】
さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００５３】
【図１】本発明のエレベータ群管理ポイント制優先割当装置の好ましい実施形態を示す構成図である。
【図２】本発明のエレベータ群管理ポイント制優先割当装置の実施形態におけるエレベータ群管理ポイント制優先割当動作を示すフロー図である。
【符号の説明】
【００５４】
１                                  群管理制御装置（群管理制御手段）
２ａ，２ｂ，２ｃ                    利用者識別およびポイント記憶手段
３ａ，３ｂ，３ｃ，３ｄ，３ｅ，３ｆ  乗り場呼び登録釦（呼び登録手段）
４ａ，４ｂ，４ｃ，４ｄ，４ｅ，４ｆ  利用者識別手段の端末
５ａ，５ｂ，５ｃ，５ｄ，５ｅ，５ｆ  ポイント表示手段
１０                                エレベータ群管理ポイント制優先割当装置
１１，１２，１３                    エレベータの乗りかご
３０                                ある階床
３１，３２，３３                    乗り場
４１，４２，４３                    壁部
５０                                上の階床
５１，５２，５３                    乗り場
６１，６２，６３                    壁部
【図１】
2009196788.tif 000003
【図２】
2009196788.tif 000004